(57)【特許請求の範囲】
【請求項１】
本体部及び該本体部上端の開口を開閉自在に密閉する上蓋部を有したハウジングと、多数の孔が形成され前記ハウジング内に収容される容器と、該容器内に収容されるバッグフィルターとを備えた濾過装置において、
前記容器は、その外周面から径方向に突出する少なくとも一つの係止片を備えており、
前記ハウジングは、前記係止片が係止可能な係止溝を備え、該係止溝は、前記容器の軸方向に延び前記係止片を該方向に挿入可能な第１溝部と、該第１溝部から前記容器の周方向に延び前記係止片を該方向に挿入可能な第２溝部とを有しており、
前記係止片は、前記容器の外周面に形成されたフランジから径方向に突出し、
前記ハウジングの内壁面に環状の段部が形成され、
前記フランジは、前記係止片が前記第１溝部を経て前記第２溝部に挿入された状態で、シール部材を介して前記段部上に設置可能となっており、
前記第２溝部の前記軸方向の幅が、前記係止片の厚さより大きく、
前記段部から第２溝部下縁までの高さが、前記段部から非圧縮状態のシール部材上面までの高さより小さく、
前記段部から非圧縮状態のシール部材上面までの高さと前記係止片の厚さとの合計が、前記第２溝部の軸方向の幅と前記段部から第２溝部下縁までの高さとの合計より小さく、
しかも、前記バッグフィルターの開口周縁部が前記フランジ上に設置され、前記ハウジングを前記上蓋部で密閉する際の圧力により、前記バッグフィルターの開口周縁部が挟持されることを特徴とする濾過装置。
【発明の詳細な説明】
【０００１】
【発明の属する技術分野】
本発明は、バッグフィルターを使用する濾過装置に関するものである。
【０００２】
【従来の技術】
バッグフィルターを使用する濾過装置は、例えば図６に示すように構成されている。すなわち、底部に排出口５１が設けられたハウジング５３内に金網状のバスケット５５を装着し、その内側にポリエステルやポリプロピレン等の繊維からなる有底筒状のバッグフィルター５７を収容するように構成されており、上蓋部５９に設けられた供給管６１からハウジング５３内に濾過すべき液体が供給されるようになっている。このような濾過装置では、バッグフィルター５７の開口周縁部を持って引き上げ、或いは開口周縁部に取り付けられている紐状の把手６３を引き上げることで、フィルター５７を濾過装置から取り出すことができる。また、使用後のフィルターを折りたたんだり、圧縮して捨てることができるため、廃棄コストを低減することも可能となる。
【０００３】
【発明が解決しようとする課題】
ところで、このような濾過装置は、使用時間の経過とともに不純物がフィルター５７の細孔に詰まり、これに伴って、フィルター５７の内外での差圧が大きくなって、フィルター５７がバスケット５５の網目に食い込みがちである。この状態で、交換時にフィルター５７を引き上げると、フィルター５７が食い込んでいるバスケット５５も同時に持ち上げられるため、フィルター５７を取り出すのに大きな力が必要になるという問題があった。例えばフィルター５７に液体が含浸しゴミが付着した状態では、フィルター５７の重量が１０ｋｇにも達することがあるため、これにバスケット５５の重量が加わることで、フィルター５７の取り出しが非常に困難になっていた。また、一緒に取り出されたバスケット５５からこれに食い込んでいるフィルター５７を取り外す作業も困難を伴うため、作業が煩雑になるという問題もある。
【０００４】
本発明は、上記問題を解決するためになされたものであって、バッグフィルターをハウジングから容易に取り出すことができ、作業性を向上することが可能な濾過装置を提供することを目的とする。
【０００５】
【課題を解決するための手段】
本発明は、上記目的を達成するため、本体部及び該本体部上端の開口を開閉自在に密閉する上蓋部を有したハウジングと、多数の孔が形成され前記ハウジング内に収容される容器と、該容器内に収容されるバッグフィルターとを備えた濾過装置において、前記容器は、その外周面から径方向に突出する少なくとも一つの係止片を備えており、前記ハウジングは、前記係止片が係止可能な係止溝を備え、該係止溝は、前記容器の軸方向に延び前記係止片を挿入可能な第１溝部と、該第１溝部から前記容器の周方向に延び前記係止片を挿入可能な第２溝部とを有することを特徴とする濾過装置を提供するものである。
【０００６】
また、前記濾過装置は、前記係止片が、前記容器の外周面に形成されたフランジから径方向に突出し、前記ハウジングの内壁面に環状の段部が形成され、前記フランジが、前記係止片が前記第１溝部を経て前記第２溝部に挿入された状態で、シール部材を介して前記段部上に設置可能となっており、前記第２溝部の前記軸方向の幅が、前記係止片の厚さより大きく、前記段部から第２溝部下縁までの高さが、前記段部から非圧縮状態の前記シール部材上面までの高さより小さく、前記段部から非圧縮状態の前記シール部材上面までの高さと前記係止片の厚さとの合計が、前記第２溝部の軸方向の幅と前記段部から第２溝部下縁までの高さとの合計より小さく、しかも、前記バッグフィルターの周縁部が前記フランジ上に設置され、前記ハウジングを前記上蓋部で密閉する際の圧力により前記バッグフィルターの周縁部が挟持されるものとすることができる。
【０００７】
【発明の実施の形態】
以下、本発明に係る濾過装置の一実施形態について図面を参照しつつ説明する。図１は本実施形態にかかる濾過装置の縦断面図、図２は濾過装置のハウジングを示す平面図及び一部縦断面図、図３はハウジングに収容されるバスケットの平面図及び一部縦断面図、図４はバッグフィルターの斜視図である。
【０００８】
図１に示すように、本実施形態にかかる濾過装置１は、食品、医薬品、汚水等の液体を濾過するためのものであり、円筒状に形成されたハウジング３と、このハウジング３内に収容されるバスケット（容器）５と、このバスケット５内に収容される有底円筒状のバッグフィルター７とを備えている。
【０００９】
ハウジング３は、底部に排出口９が形成された本体部１１と、本体部１１の上部のフランジ１３に回動自在に取り付けられ、本体部１１上端の開口を開閉自在に密閉する上蓋部１５とから構成されており、両者は締付金具１６により固定可能となっている。上蓋部１５には処理すべき液体を本体部１１内に供給する供給管１７が連結されており、この供給管１７は上蓋部１５の上部からＵ字形に曲がり、本体部１１のフランジ１３を通過して外部へと延びている。また、上蓋部１５の周縁には、本体部１１との当接面にＯリング１９が設置されており、このＯリング１９によりハウジング３の液密性が保たれる。ハウジング３の外周面には、この濾過装置１を設置するための支持脚２１が取り付けられている。
【００１０】
図２（ｂ）に示すように、本体部１１の開口周縁には、環状の段部２５が形成されている。この段部２５から上方に延びる壁面２７には、ハウジング３の軸方向に延びる第１溝部２９ａと周方向に延びる第２溝部２９ｂとからなるＬ字形の係止溝２９が形成されており、図２（ａ）に示すように、本実施形態では、係止溝２９を本体部１１の開口周縁に等間隔に３つ形成している。
【００１１】
図３に示すように、バスケット５は金網により網目状に形成されており、開口周縁には、ハウジング３の段部２５と後述するガスケットを介して係合するフランジ５ａが形成されている。フランジ５ａの周縁には径方向に突出する３つの係止片５ｂが形成されており、ハウジング３の係止溝２９に挿入可能となっている。係止片５ｂ、係止溝２９、壁面２７の寸法については、後に詳述する。
【００１２】
図４に示すように、バスケット５内に収容されるバッグフィルター７は、例えばポリプロピレンやポリエチレン等の繊維からなる布を複数枚重ね合わせ、ニードルパンチ加工をして合体させた後、袋状に縫製加工したもので構成される。フィルター７の開口周縁部７ａは、ステンレスや合成樹脂製のリング７ｂを取り付けた後に折り返して縫製加工がなされており、その上から取り出し用の把手７ｃが取り付けられている。また、バッグフィルター７の開口周縁は、後述するように、折り返されてバスケット５のフランジ５ａ上に配置される。
【００１３】
図１の拡大図に示すように、バスケット５の係止片５ｂの厚さｔは、係止溝２９の第２溝部２９ｂのバスケット５軸方向の幅Ｈ1のより小さく形成されており、段部２５から第２溝部２９ｂ下縁までの高さＨ2は、段部２５から非圧縮状態のガスケット（シール部材）２３上面までの高さＨ3（同図中点線を参照）より低く形成されている。また、段部２５からの壁面２７の高さＨ4は、ガスケット２３上面までの高さＨ3、係止片５ｂの厚さｔ、及びバッグフィルター７の開口周縁部７ａの厚さの合計より小さくされている。これにより、上蓋部１５を閉じていないときには、バッグフィルター７の開口周縁部７ａが、壁面２７の上端からやや盛り上がった状態になる。なお、フランジ５ａが非圧縮状態のガスケット２３上に配置された状態で、係止片５ｂが第１溝部２９ａを経て第２溝部２９ｂに挿入されるためには、ｔ＋Ｈ3＜Ｈ1＋Ｈ2の関係を満たす必要がある。
【００１４】
次に、上記のように構成された濾過装置の使用方法について説明する。まず、上蓋部１５を開き、本体部１１の段部２５に環状のガスケット２３を載置する。或いは既に載置されているガスケットを継続して使用することも可能である。続いて、係止片５ｂが第１溝部２９ａと対応するように位置決めして、バスケット５を本体部１１内に収容する。このとき、図５（ａ）に示すように、係止片５ｂを第１溝部２９ａに挿入した後、バスケット５を周方向に回転させ、係止片５ｂを第２溝部２９ｂに挿入する。これにより、係止片５ｂが係止溝２９に係止し、バスケット５が固定される。
【００１５】
次に、バッグフィルター７をバスケット５内に収容し、バスケット５のフランジ５ａ上に周縁部７ａを折り返して配置する。これに続いて、上蓋部１５を閉じて締付金具１６で上蓋部１５と本体部１１とを固定する。このとき、図１の拡大図に示すように、ガスケット２３とバッグフィルター７とが上蓋部１５により圧縮され、これに伴って、図５（ｂ）に示すように、バスケット５の係止片５ｂが第２溝部２９ｂ内で下方へ移動する。バッグフィルター７の周縁部７ａは圧縮されてシール部材としての役割を果たし、ガスケット２３とともにハウジング３内の液密性を維持する。
【００１６】
上記のようにバッグフィルター７をセットした後、供給管１７から処理すべき液体を供給すると、フィルター７によって液体が濾過され、濾液が排出口９から排出される。バッグフィルター７を交換する際には、締付金具１６を取り外して上蓋部１５を開いた後、把手７ｃまたは周縁部７ａを引っ張ってバッグフィルター７を取り出す。このとき、バスケット５は係止片５ｂにより本体部１１に固定されているため、フィルター７内外の差圧によりバッグフィルター７がバスケット５に食い込んだ場合であっても、バスケット５がバッグフィルター７とともに持ち上がるのが防止され、バッグフィルター７を容易に取り外すことができる。なお、バッグフィルター７がバスケット５に強く密着している場合には、バッグフィルター７の開口周縁部７ａを掴んで第２溝部２９ｂが延びる方向へ周方向にバッグフィルター７をわずかに回転させると、バスケット５から分離できるので、バッグフィルター７を容易に取り出すことができる。
【００１７】
以上のように、本実施形態によれば、バスケット５の開口周縁部に係止片５ｂが形成されるとともに、本体部１１に係止片５ｂが係止可能なＬ字形の係止溝２９が形成されているため、他の固定手段を使用することなく、係止片５ｂの挿入及び回転操作だけでバスケット５をハウジング３に容易に固定することができる。また、係止片５ｂが周方向に延びる第２溝部２９ｂに挿入されることで、バスケット５の高さ方向へ移動が制限されるため、従来例のようにバスケット５がバッグフィルター７とともに本体部１１から取り出されるのを防止することができ、引き上げ時の重量を軽減することができる。したがって、バッグフィルター７の交換を容易に、しかも効率的に行うことができる。
【００１８】
また、圧縮前のガスケット２３上にフランジ５ａが設置されたときに、係止片５ｂが第１溝部２９ａを経て第２溝部２９ｂに挿入可能とし、しかも第２溝部２９ｂの高さを、係止片５ｂの厚さｔより高くしているため、第２溝部２９ｂ内で係止片５ｂを容易に周方向へ回転させることができる。そのため、バスケット５のハウジング３への取付を容易に行うことが可能となる。
【００１９】
上記実施形態では、係止溝２９をＬ字形に形成しているが、第２溝部２９ｂを第１溝部２９ａの途中から周方向に延びるように形成してもよい。また、係止片５ｂ及び係止溝２９の数は、上記のように３箇所に限定されるものではないが、バスケット５をハウジング３に対して確実に固定するためには、３箇所以上であることが好ましい。バスケット５は、金網状のもの以外に、例えば多数の細孔が形成された金属製または樹脂製のものを使用することもできる。
【００２０】
また、上記実施形態では、バスケット５の開口周縁にフランジ５ａ及び係止片５ｂが形成されているが、この位置は限定されるものではなく、例えばバスケット５の軸方向の中間部に形成することもできる。また、バスケット５をハウジング３内に固定するという観点からは、フランジ５ａを形成せず、バスケット５の外周面に直接係止片５ｂを形成することも可能である。
【００２１】
【発明の効果】
以上の説明から明らかなように、本発明によれば、容器の開口周縁部に係止片が形成されるとともに、ハウジングに軸方向及び周方向に延びる係止溝が形成されているため、他の固定手段を使用することなく、容器を挿入及び回転させるだけで、係止片を係止溝に係止させることができ、容器をハウジング内に容易に固定することができる。さらに、係止片が周方向に延びる第２溝部に挿入されることで、容器の高さ方向への移動が制限されるため、従来例のように、バックフィルターが容器に食い込んで、フィルター交換時に容器がバッグフィルターとともにハウジングから取り出されるのを防止することができる。したがって、バッグフィルターの交換を容易に、しかも効率的に行うことができる。
【００２２】
また、第２溝部の軸方向の幅が、係止片の厚さより大きく、段部から第２溝部下縁までの高さが、段部から非圧縮状態のシール部材上面までの高さより小さく、段部から非圧縮状態のシール部材上面までの高さと係止片の厚さとの合計が、第２溝部の軸方向の幅と段部から第２溝部下縁までの高さとの合計より小さくされているので、バッグフィルターの取付時に、第２溝部内で係止片を容易に周方向へ回転させることができる。そのため、バスケットのハウジングへの取付を容易に行うことが可能となる。
【図面の簡単な説明】
【図１】本発明に係る濾過装置の一実施形態を示す縦断面図である。
【図２】図１の濾過装置のハウジングを示す平面図及び一部縦断面図である。
【図３】図１の濾過装置のバスケットを示す平面図及び一部縦断面図である。
【図４】図１の濾過装置のバッグフィルターを示す斜視図である。
【図５】図３のバスケットのハウジングへの取付を説明する図である。
【図６】従来の濾過装置を示す縦断面図である。
【符号の説明】
１      濾過装置
３      ハウジング
５      バスケット（容器）
５ａ    フランジ
５ｂ    係止片
７      バッグフィルター
１１    本体部
１５    上蓋部
２３    ガスケット（シール部材）
２５    段部
２９    係止溝
２９ａ  第１溝部
２９ｂ  第２溝部
【図１】
0003826270.tif 000002
【図２】
0003826270.tif 000003
【図３】
0003826270.tif 000004
【図４】
0003826270.tif 000005
【図５】
0003826270.tif 000006
【図６】
0003826270.tif 000007